(57)【特許請求の範囲】
【請求項１】
所定間隔で内方へ突出する磁極(2)を一体に有すると共に内側にロータ(9)を配設した輪状ステータ(1)と、前記輪状ステータ(1)の両面に一体又は別体に設けられ前記各磁極(2)に位置する磁極カバー部(5)を有する輪状絶縁カバー(3)と、前記各磁極(2)に前記磁極カバー部(5)を介して巻回されたステータ巻線(6)と、前記輪状絶縁カバー(3)に設けられ前記輪状ステータ(1)の外周よりも外方でかつ半径方向へ向けて突出する複数の突出部材(4)と、一部又は全部の前記各突出部材(4)に前記突出部材(4)を貫通して形成され互いに異なる形状からなる端子ピン取付孔(7)と、前記各端子ピン取付孔(7)に前記端子ピン取付孔(7)を貫通して設けられ一部の端子ピン(8)が、他の端子ピン(8)とは異なる断面形状からなる端子ピン(8)と、を備え、
前記各端子ピン(8)の一端(8a)は前記突出部材(4)の一面(4A)から外方へ突出して前記ステータ巻線(6)の端線がからげられ、前記各端子ピン(8)の他端(8b)は前記突出部材(4)の他面(4B)から外方へ突出し、前記各他端(8b)は断面四角形又は断面円形に形成されて互いに異なり、前記輪状ステータ(1)を含むレゾルバ(20)をモータ又は回転機器からなる他の機器へ取付ける場合、前記他の機器に設けられた断面四角形又は断面円形に形成された中空ピンに対して前記他端(8b)を挿入することにより、前記他の機器に対する前記レゾルバ(20)の位置決め及び信号系の接続が行われることを特徴とするレゾルバ構造。
【発明の詳細な説明】
【技術分野】
【０００１】
本発明は、レゾルバ構造に関し、特に、輪状ステータに設ける輪状絶縁カバーの周縁に、半径方向に突出する複数の突出部材を設け、この各突出部材に設けた端子ピンを用いて輪状ステータを他の機器へ取付け可能とするための新規な改良に関する。
【背景技術】
【０００２】
従来、用いられていたこの種のレゾルバ構造としては、例えば、特許文献１に示されるように、輪状ステータに設けられた輪状絶縁カバーの一端には、１個の突出状の端子保持部が形成され、この端子保持部には複数の端子ピンが植設されている。
前記各端子ピンには、輪状ステータの各磁極に巻回したステータ巻線の端線が接続され、輪状ステータを他の機器に取付ける場合は、輪状ステータの外縁に形成された凹部又は孔を利用して装着されている。
【０００３】
【特許文献１】米国特許第６，７５０，５７７Ｂ２明細書
【発明の開示】
【発明が解決しようとする課題】
【０００４】
従来のレゾルバ構造は、以上のように構成されていたため、次のような課題が存在していた。
すなわち、輪状絶縁カバーの一端に突出して形成された端子保持部に全ての端子ピンが設けられているため、レゾルバを他の機器に取付ける場合には、輪状ステータの周縁に形成された凹部又は孔等を用いて取付けなければならず、他の機器への取付けには多大の労力とコストとを必要としていた。
また、端子ピン保持部に設けられた狭いスペースに植設された多数の端子ピンに、自動機又は手作業によってステータコイルの端線を半田等で接続することは多大の設備と費用とを要していた。
【課題を解決するための手段】
【０００５】
本発明によるレゾルバ構造は、所定間隔で内方へ突出する磁極を一体に有すると共に内側にロータを配設した輪状ステータと、前記輪状ステータの両面に一体又は別体に設けられ前記各磁極に位置する磁極カバー部を有する輪状絶縁カバーと、前記各磁極に前記磁極カバー部を介して巻回されたステータ巻線と、前記輪状絶縁カバーに設けられ前記輪状ステータの外周よりも外方でかつ半径方向へ向けて突出する複数の突出部材と、一部又は全部の前記各突出部材に前記突出部材を貫通して形成され互いに異なる形状からなる端子ピン取付孔と、前記各端子ピン取付孔に前記端子ピン取付孔を貫通して設けられ一部の端子ピンが、他の端子ピンとは異なる断面形状からなる端子ピンと、を備え、
前記各端子ピンの一端は前記突出部材の一面から外方へ突出して前記ステータ巻線の端線がからげられ、前記各端子ピンの他端は前記突出部材の他面から外方へ突出し、前記各他端は断面四角形又は断面円形に形成されて互いに異なり、前記輪状ステータを含むレゾルバをモータ又は回転機器からなる他の機器へ取付ける場合、前記他の機器に設けられた断面四角形又は断面円形に形成された中空ピンに対して前記他端を挿入することにより、前記他の機器に対する前記レゾルバの位置決め及び信号系の接続が行われる構成である。
【発明の効果】
【０００６】
本発明によるレゾルバ構造は、以上のように構成されているため、次のような効果を得ることができる。
すなわち、所定間隔で内方へ突出する磁極を一体に有すると共に内側にロータを配設した輪状ステータと、前記輪状ステータの両面に一体又は別体に設けられ前記各磁極に位置する磁極カバー部を有する輪状絶縁カバーと、前記各磁極に前記磁極カバー部を介して巻回されたステータ巻線と、前記輪状絶縁カバーに設けられ前記輪状ステータの外周よりも外方でかつ半径方向へ向けて突出する複数の突出部材と、一部又は全部の前記各突出部材に前記突出部材を貫通して形成され互いに異なる形状からなる端子ピン取付孔と、前記各端子ピン取付孔に前記端子ピン取付孔を貫通して設けられ一部の端子ピンが、他の端子ピンとは異なる断面形状からなる端子ピンと、を備え、前記各端子ピンの一部の形状は他の端子ピンの形状とは異なると共に、前記各端子ピンにより他の機器へ前記輪状ステータの取付けを可能とした構成であるため、ステータコイルの各端子ピンへのからげが容易となると共に、各端子ピンを他の機器の端子へ連結することにより、接続が極めて容易となる。
また、前記端子ピンは、断面四角形及び断面円形よりなるため、端線のからげ及び他の機器の端子への接続が極めて容易である。
【発明を実施するための最良の形態】
【０００７】
本発明は、輪状ステータに設ける輪状絶縁カバーの周縁に、半径方向に突出する複数の突出部材を設け、この各突出部材に設けた端子ピンを用いて輪状ステータを他の機器へ取付け可能とするレゾルバ構造を提供することを目的とする。
【実施例】
【０００８】
以下、図面と共に本発明によるレゾルバ構造の好適な実施の形態について説明する。
図１から図３において符号１で示されるものは全体形状が輪状をなし積層鉄芯で形成された輪状ステータであり、この輪状ステータ１の内周には、所定間隔で内方へ向けて突出する複数の磁極２が一体に形成され、前記輪状ステータ１の内側には、ロータ９が回転自在に配設されている。
【０００９】
前記輪状ステータ１の両面には、周知のインサート成形により一体に成形されて設けられるか、又は、予め、別体で二体に成形されて形成された輪状絶縁カバー３が設けられている。
【００１０】
従来、前記輪状絶縁カバー３は、その周縁の一部のみに突出して形成された端子保持部に全ての端子ピンを集中して保持していたが、本発明においては、図１で示されるように、例えば、６０度毎の等間隔（等間隔に限らず、非等間隔でも可）で半径方向に突出する複数の突出部材４が形成されている。
【００１１】
前記輪状絶縁カバー３の内縁には、前記各磁極２に対応して突出して形成された磁極カバー部５が形成され、この磁極カバー部５は、図２に示されるように、前記磁極２の内端のみを露出して他の周面は全て覆うように形成されていることにより、各磁極２にはこの磁極カバー部５を介してステータ巻線６が巻回されている。
【００１２】
前記各突出部材４には、突出部材４を貫通して端子ピン取付孔７が形成され、これらの各端子ピン取付孔７の形状は全て同一ではなく、隣り同志あるいは１個飛び等の位置によって四角と円形等の組合せのように互いに異なるように構成され、断面四角状及び断面円形状の端子ピン８をその取付位置を間違えることなく挿入することができるように構成されている。
【００１３】
前記端子ピン８は、図２に示されるように、前記各突出部材４及び端子ピン取付孔７を軸方向に貫通して突出しており、突出部材４の一面４Ａから外方へ突出する各一端８ａ側には前記ステータ巻線６の端線がからげられている。
また、他面４Ｂから外方へ突出する前記端子ピン８の他端８ｂは、前述のように、断面四角形又は断面円形等に形成され、前記輪状ステータ１を含むレゾルバ２０を、図示しない他の機器であるモータ又は回転機器等へ取付ける場合、前記他の機器に設けられた断面四角形又は断面円形等の中空ピンに対して前記他端８ｂを挿入することにより、前記レゾルバ２０が前記他の機器（図示せず）への取付及び信号系の接続が簡単に行われる。
すなわち、各端子ピン８の一部の断面形状は他の端子ピン８の断面形状とは異なっている。
【００１４】
尚、前記端子ピン取付孔７は、前記各突出部材４の全てに形成される場合と、一部のみに形成される場合とあり、必要に応じて選択的に用いられている。
また、図１の状態では、各端子ピン取付孔７には、端子ピン８が取付けられていない状態を示しているが、図３の状態では、各端子ピン８が挿入された図２の左側からの側面図を示している。尚、前述の各突出部材４を非等間隔に形成した場合は、レゾルバ２０を他の機器に取付ける際に、位置決めが容易となる。
【図面の簡単な説明】
【００１５】
【図１】本発明によるレゾルバ構造を模式的に示す側面図である。
【図２】図１の縦断面図である。
【図３】図２の左側面図である。
【図４】図１のレゾルバの実際の組立状態を示す側面図である。
【図５】図４のレゾルバに端子ピンを植立した状態を示す斜視図である。
【符号の説明】
【００１６】
１    輪状ステータ
２    磁極
３    輪状絶縁カバー
４    突出部材
４Ａ  一面
４Ｂ  他面
５    磁極カバー部
６    ステータ巻線
７    端子ピン取付孔
８    端子ピン
８ａ    一端
８ｂ    他端
９    ロータ
２０    レゾルバ
【図１】
0005396593.tif 000002
【図２】
0005396593.tif 000003
【図３】
0005396593.tif 000004
【図４】
0005396593.tif 000005
【図５】
0005396593.tif 000006